(57)【要約】【課題】頭脳活動向上機器及び皮膚老化防止機器を提供する。【解決手段】気流発生装置を用いて発生させた気流を頭部に吐出させる頭脳活動向上機器を開示する。この頭脳活動向上機器は、ケースと、ケースの一側に形成された空気吸入口と、水素イオンを生成するセラミックプレート部及びこのセラミックプレート部から離間して設けられて電子及びスーパーオキシドアニオンを生成する電子発生部を含む気流発生装置と、該気流発生装置より発生したスーパーオキシドアニオン及び水素原子を頭部に吐出させる吐出口と、を含む。【選択図】図１
2010137047.tif 000002
【特許請求の範囲】
【請求項１】
脳波及び心電図の変化をもたらす気流発生装置を含むことを特徴とする頭脳活動向上機器。
【請求項２】
前記気流発生装置は、
水素イオンを生成させるセラミックプレート部と、
前記セラミックプレート部から離間して設けられ、電子及びアニオンを生成する電子発生部と、
を含むことを特徴とする、請求項１に記載の頭脳活動向上機器。
【請求項３】
前記セラミックプレート部は放電電極及び誘導電極を含み、前記放電電極と誘導電極との間にプラス成分の高電圧が印加されると水素イオンが生成されることを特徴とする、請求項２に記載の頭脳活動向上機器。
【請求項４】
前記電子発生部は針状電極を含み、前記針状電極にマイナス成分の高電圧が印加されると電子が空気中に放出され、
前記電子は、空気中の酸素分子と結合してスーパーオキシドアニオン（Ｏ２−）を生成し、前記水素イオン（Ｈ＋）と結合して水素原子（Ｈ）を生成することを特徴とする、請求項２に記載の頭脳活動向上機器。
【請求項５】
ケースと、
前記ケースの一側に形成された空気吸入口と、
水素イオンを生成させるセラミックプレート部と、前記セラミックプレート部から離間して設けられ、電子及びスーパーオキシドアニオンを生成する電子発生部とを含む気流発生装置と、
前記気流発生装置より発生したスーパーオキシドアニオンと水素原子を頭部に吐出させる吐出口と、
を含むことを特徴とする頭脳活動向上機器。
【請求項６】
前記頭脳活動向上機器は、送風装置をさらに含むことを特徴とする、請求項５に記載の頭脳活動向上機器。
【請求項７】
前記頭脳活動向上機器は、頭部を認識する認識センサーをさらに含むことを特徴とする、請求項５に記載の頭脳活動向上機器。
【請求項８】
前記頭脳活動向上機器は、動作を制御する制御部をさらに含むことを特徴とする、請求項７に記載の頭脳活動向上機器。
【請求項９】
前記頭脳活動向上機器は、前記空気吸入口にホコリフィルターをさらに含むことを特徴とする、請求項８に記載の頭脳活動向上機器。
【請求項１０】
前記認識センサーは頭部前面を認識することを特徴とする、請求項８に記載の頭脳活動向上機器。
【請求項１１】
前記認識センサーは頭部右側面を認識することを特徴とする、請求項８に記載の頭脳活動向上機器。
【請求項１２】
前記頭脳活動向上機器は、前記認識センサーの認識部位にしたがって吐出口の方向を回転させる回転モーターをさらに含むことを特徴とする、請求項１０または１１に記載の頭脳活動向上機器。
【請求項１３】
ケースと、前記ケースの一側に形成された空気吸入口と、水素原子を発生させる水素発生装置と、前記水素発生装置より発生した水素原子を皮膚に吐出させる吐出口と、を含み、
前記水素発生装置は、水素イオンを生成させるセラミックプレート部と、前記セラミックプレート部から離間して設けられ、電子を生成させる電子発生部と、を含むことを特徴とする皮膚老化防止機器。
【請求項１４】
前記セラミックプレート部は、放電電極及び誘導電極を含み、前記放電電極と誘導電極との間にプラス成分の高電圧が印加されると水素イオンが生成されることを特徴とする、請求項１３に記載の皮膚老化防止機器。
【請求項１５】
前記電子発生部は針状電極であり、前記針状電極にマイナス成分の高電圧が印加されると電子が空気中に放出され、前記電子が前記水素イオンと結合することで水素原子が生成されることを特徴とする、請求項１３に記載の皮膚老化防止機器。
【請求項１６】
前記水素原子は、皮膚内ＭＭＰ（ｍａｔｒｉｘ  ｍｅｔａｌｌｏｐｒｏｔｅｉｎａｓｅ）の濃度を低減させることを特徴とする、請求項１５に記載の皮膚老化防止機器。
【請求項１７】
前記皮膚老化防止機器は、前記セラミックプレート部で生成された水素イオンを、前記針状電極から放出された電子側へ送るための送風装置をさらに含むことを特徴とする、請求項１５に記載の皮膚老化防止機器。
【請求項１８】
前記皮膚老化防止機器は、前記水素発生装置及び送風装置を制御する制御部をさらに含むことを特徴とする、請求項１７に記載の皮膚老化防止機器。
【請求項１９】
前記皮膚老化防止機器は、顔に着用するためのヘアーバンドをさらに含むことを特徴とする、請求項１３に記載の皮膚老化防止機器。
【発明の詳細な説明】
【技術分野】
【０００１】
本発明は、頭脳活動向上機器に関するもので、より詳細には、気流発生装置を用いて発生させた気流を頭部に吐出させる頭脳活動向上機器に関する。
【０００２】
また、本発明は、皮膚老化防止機器に関するもので、より詳細には、水素発生装置を用いて皮膚の老化を防止できるようにした皮膚老化防止機器に関する。
【背景技術】
【０００３】
室内空気質は、室内居住者に精神的、心理的にも影響を及ぼすことができる。その例として、室内で複合的な汚染源から発生する汚染物質は、喘息、アレルギー性疾患を引き起こすが、これは注意集中力の減退を招き、結論的に遂行能力を妨害することにつながる。実際に、室内空間で仕事をする作業者にとって室内空気質は作業能率に影響を与えると報告されている（Ｆｉｓｋ，  ２０００；  Ｍｅｎｄｅｌｌ  ｅｔ  ａｌ．，  ２００２ａ）。また、Ｓｅｐｐａ  ｎｅｎ  ｅｔ  ａｌ，  （２００６）は、室内空間の換気による室内空気質の改善と作業遂行能力との関係を定量的に分析して報告したことがある。
【０００４】
室内環境が室内居住者の身体的な健康の他に精神的、心理的健康までも保障しなければならない等、室内空気の機能と役割は増大しつつあり、このような要求に伴って快適な室内環境を作るための技術開発の必要性も台頭してきた。
【０００５】
その中でも学習空間や業務空間は、頭脳活動を向上させて最大の効率をもたらす空間としなければならない。そして、本発明は、このような空間作りのために気流発生装置を用いて人間の頭脳活動を向上させようとしており、このような頭脳活動を評価するための客観的な指標として下の脳波及び心電図特性が活用されている。
【０００６】
一般に、脳波とは、頭皮電極から得られた頭皮上脳波（ｓｃａｌｐ  ＥＥＧ）のことをいう。脳波（ｅｌｅｃｔｒｏｅｎｃｅｐｈａｌｏｇｒａｍ：ＥＥＧ）は、客観的、非浸襲的、連続的に簡単に大脳機能を評価できる検査法である。
【０００７】
脳波からわかることは、簡単に言えば、脳の機能、特に脳の活動性が弱くなっているか、反対に高まっているかという点である。すなわち、脳の活動レベルを示す客観的指標がわかる。したがって、時々刻々変化する脳活動の変動を空間的・時間的に把握できるものとして脳波（ＥＥＧ）検査の価値は認められている。
【０００８】
脳波に反映される脳の電気的活動は神経細胞（ｎｅｕｒｏｎｓ）、膠細胞（ｇｌｉａｌ  ｃｅｌｌｓ）、脳血液関門（ｂｌｏｏｄ−ｂｒａｉｎ  ｂａｒｒｉｅｒ）により決定されるが、主として神経細胞により発生する。脳の重さの半分を占める膠細胞は、神経細胞が連接している部位であるシナプスでイオン、分子の流れを調整し、神経細胞同士間の構造の維持、支え、補修の役割などを果たす。脳血液関門は、脳血管中の各種物質の中から必要な物質のみを選別して通過させる役割を果たす。膠細胞及び脳血液関門による脳波の変化は少しずつ徐々に起こり、これに比べて神経細胞の活動による脳波の変化は大きく、速く且つ多様に発生する。
【０００９】
一般的に、脳波は、振動する周波数の範囲によって人為的にデルタ波（０．２〜３．９９Ｈｚ）、シータ波（４〜７．９９Ｈｚ）、アルファ波（８〜１２．９９Ｈｚ）、ベータ波（１３〜２９．９９Ｈｚ）、ガンマ波（３０〜５０Ｈｚ）に区分して呼ぶ。
【００１０】
デルタ波は主として、正常人の深い睡眠時や新生児において著しく現れる。もし、目覚めている人においてデルタ波が平均範囲よりも非常に多く現れると、大脳皮質部上の悪性腫瘍または麻酔、昏睡状態関連疾病を疑うことができる。もし、健康な正常人であるにもかかわらずデルタ波が目立つと、脳波測定時に目を瞬いたり身体を激しく動いたりした場合が大部分である。このような目の動きや身体の動きにより発生する雑音の周波数領域はデルタ波周波数領域とほとんど一致するから、あたかもデルタ波が増加したかのように見えることができる。したがって、通常、長時間脳波測定実験をする場合には目の動きや身体の動きが必須に発生するので、デルタ波のパワー増減は分析要素として考慮に入れないのが普通である。
【００１１】
シータ波は、情緒安定または睡眠につながる過程で主として現れる波で、成人よりは子供に多く分布する。シータ波は、記憶力、超能力、創意力、集中力、不安解消などを含む多くの様々な状態と関連していると報告されている。
【００１２】
アルファ波は、緊張弛緩のような安らかな状態で主として現れ、安定で楽な状態であるほど振幅が増加する。一般的にこれは規則的な波動の形態で連続して現れ、頭頂部と後頭部で最も大きく記録され、前頭部に最も小さく現れる特性がある。特に安定したアルファ波が現れる時は目をとじて落ち着くとアルファ波は抑制される。この現象を‘アルファ波阻止’という。アルファ波は脳の発達と密接な関係があり、幼児期には４〜６Ｈｚで測定されるが、その後、年を取るほど周波数も増加し、２０歳程度に成人の値に至ることとなる。
【００１３】
ベータ波は主に前頭部で多く現れ、覚醒の時、話す時のように全ての意識的な活動をする時に現れる。特に、不安な状態や緊張時、複雑な計算処理時に優勢に現れたりする。
【００１４】
ガンマ波は、ベータ波よりも速く振動する形態で、情緒的により焦燥している状態であるか、推理、判断などの高度な認知情報処理と関連が深いと報告されている。
【００１５】
デルタ、シータ、アルファ、ベータ、ガンマ波は、便宜のために作為的に分類した脳波の周波数領域である。ある研究者は、Ｌｏｗアルファ、Ｍｉｄｄｌｅアルファ、Ｈｉｇｈアルファ等とより細分化して分析することもある。通常、特定状態の脳波特徴を分析しようとする研究者は、０〜５０Ｈｚの各周波数成分に対するパワーの分布を全体的に示すパワースペクトラム分布をまず観察した後、有意に変わる周波数成分を見つけて意味を与えたりもする。
【００１６】
心電図は、血液循環ポンプ作用をする心臓の電気的活動が反映された信号で、Ｐ−Ｑ−Ｒ−Ｓ−Ｔ波に該当する連続した様々なピークの形態で現れる。このうち、通常、両方向の最も高いピークがＲピークに該当し、このようなＲピークは毎心拍動ごとに反復的に現れる。
【００１７】
一般的にＰＱＲＳＴで構成された各心電図波形の形態検査は、心臓の気質的病変に起因した各種心臓疾患診断時に有用であるのに対し、連続したＲピーク間の時間間隔情報は自律神経の機能評価時に有用である。このようなＲピーク間の間隔、すなわち心拍間隔変化を心拍変移度と呼び、Ｒ−Ｒ−ｉｎｔｅｒｖａｌ  ｖａｒｉａｂｉｌｉｔｙとも呼ばれる。普通、心拍間隔は特定誤波範囲条件で脈波、心音などからも間接的な抽出が可能であるが、敢えて心電図を意味するＲ−Ｒ  ｉｎｔｅｒｖａｌ  ｖａｒｉａｂｉｌｉｔｙと標準命名された理由は、正確な心拍間隔情報を得るには、他の信号に比べて著しく明快なＲピークを利用することが好ましいためである。
【００１８】
心電図信号でＲピークはあたかも非常に規則的に発生するように見えるが、実際定量的な数値で間隔を調査してみると、毎拍動の度に少しずつ変わる。すなわち、５分間測定した心電図信号でＲＲ間隔の変化をグラフ形態で表示してみると、一定範囲内で少し高くなったり低くなったりする無作為的な振動形態のように見える。国際心臓学会では臨床活用時における定量的変数の正確で高い再現性のために５分間測定することを薦めている。このようなＲＲ間隔の微細な変化パターンは、ストレスに最も敏感に反応する自律神経系（交感及び副交感神経系：ｓｙｍｐａｔｈｅｔｉｃ  ａｎｄ  ｐａｒａｓｙｍｐａｔｈｅｔｉｃ  ｎｅｒｖｏｕｓ  ｓｙｓｔｅｍ）の活動様相に大きく依存する。したがって、ＲＲ間隔変化パターンは、基本的な自律神経異常検査の他にストレス検査時にも有用に活用されている。
【００１９】
一般的に、交感神経系は、攻撃、防御的なストレス状況で主に活性度が高くなり、副交感神経系は、安らかで弛緩した状態で活性度が高くなる。たとえば、初期ストレス状態時にはまず交感神経活性が高くなり、このような高い交感神経活性は、心拍動数の増加、血圧及び血糖の増加、自発筋肉への血流量の増加、汗分泌、内部臓器への血流減少などを誘発することとなる。一方、安らかな身体弛緩状態時には副交感神経活性度が増加し、心拍動数及び血圧の減少、唾液分泌増加、腸運動の増加、睡眠などを誘発する。
【００２０】
交感及び副交感神経に刺激が加えられた時、交感神経の反応時間は副交感神経に比べて５秒程度遅れて現れる。したがって、交感神経の活性化はＲＲ間隔の遅い変化パターンを誘導し、副交感神経（迷走神経：ｖａｇｕｓ  ｎｅｒｖｅ）は相対的に速い変化パターンを誘導することとなる。この点が、ＲＲ間隔変化パターンから、遅く振動する成分のパワー（ＬＦ：Ｌｏｗ  Ｆｒｅｑｕｅｎｃｙ）及び速く振動する成分のパワー（ＨＦ：Ｈｉｇｈ  ｆｒｅｑｕｅｎｃｙ）という定量的変数を通じてそれぞれ交感及び副交感神経の活性度を独立的に測定可能にするのである。
【００２１】
交感及び副交感神経系は、いずれか一方が過度に活性化された場合にはいずれか他方がそれを阻止してバランスさせようとする相互調整作用をする。このような相互調整機能が正常になされているかを把握するためには、副交感に対する交感神経活性度の割合（自律神経バランス指数）を調べてみなければならない。副交感または交感のいずれか一方へと活性度が偏りすぎた状態が長く続くと、活性度が高く維持された該当の神経がエネルギーを消尽し、結局としてその機能を失う恐れがある。
【００２２】
一方、人間の皮膚は絶え間なく変化していき、その最も代表的な例が、老化による皮膚の機能低下及び視覚的な美しさの減少である。皮膚の老化は、主に、遺伝的要素による内的老化と、太陽光線などの外部環境的要素による外的老化とに区別される。このような外的老化には、皮膚にできるシワがあり、シワの代表的な因子として活性酸素、紫外線及びコラーゲンの生合成減少などが挙げられる。
【００２３】
皮膚の内的老化は人為的な調節が不可能であるが、外的老化は、活性酸素の除去、繊維芽細胞の増殖及びコラーゲンの生合成促進などによって、内的要因に比べて容易に調節可能である。
【００２４】
人の皮膚は、量的・質的な面において非常に大きい経年変化が生じる。このような自然老化の他にも、様々な外部環境によって刺激を受けることになる。すなわち、分子生物学的な変化や外部の物理・化学的因子によって一連の変化が起きる。特に、太陽光線中の紫外線（ｕｌｔｒａｖｉｏｌｅｔ  ｒａｙ）による損傷を光老化（ｐｈｏｔｏ  ａｇｉｎｇ）といい、これに関する研究が活発に行われてきている。一般に、紫外線は、その波長によって紫外線Ａ（３２０〜４００ｎｍ）、紫外線Ｂ（２８０〜３２０ｎｍ）、そして紫外線Ｃ（１９０〜２８０ｎｍ）の３種類に区別される。太陽光から地表に到達する紫外線のうち、紫外線Ｃは、大気圏の上層部にあるオゾン層で吸収・散乱されてろ過されるので、自然的光化学反応に特別な影響を及ぼさない。紫外線Ａは、一次的には太陽から放出されるが、人工ランプなどからも放出され、皮膚の表皮と真皮層に深く透過する。このため、紫外線Ａは、現在、皮膚に最も多い影響を与える要素として注視されている。しかし、紫外線Ｂの照射は、紫外線Ａよりも危険である。すなわち、紫外線Ｂは紫外線Ａよりも波長が短いため皮膚深くまでは侵入できないと知られているが、紫外線Ａに比べてはるかに強いエネルギーを持っているため、皮膚表面に鮮明な紅斑を発生させる一方で、皮膚の光老化を促進する波長として知られている。紫外線による皮膚損傷には、紫外線により形成された活性酸素種が、細胞信号体系に信号を送り、結局として皮膚の細胞外物質（ｅｘｔｒａｃｅｌｌｕｌａｒ  ｍａｔｒｉｘ：ＥＣＭ）の成分であるコラーゲンやゼラチンなどを分解する酵素であるＭＭＰ（ｍａｔｒｉｘ  ｍｅｔａｌｌｏｐｒｏｔｅｉｎａｓｅ）を合成させることでコラーゲンやゼラチンを破壊し、皮膚にシワを招くものがある。
【００２５】
コラーゲンは、皮膚の繊維芽細胞で生成される主要基質タンパク質で、細胞外間質に存在し、生体タンパク質の総重量の３０％を占める重要なタンパク質で、堅固な３重らせん構造を持っている。主な機能としては、皮膚の機械的堅固性、結合組織の抵抗力及び組織の結合力、細胞接着の支持、細胞分割及び分化の誘導などが知られている。コラーゲンは、皮膚老化の外因とされる紫外線への露出によっても破壊され、紫外線による変化は、紫外線に露出された時間に比例すると知られている。紫外線は、皮膚真皮層において弾力繊維性物質を蓄積させるとともに膠原線維を変性させ、皮膚にシワの発生及び弾力性の低下を招く。
【００２６】
一方、ＭＭＰは、多形核好中球（Ｐｏｌｙｍｏｒｐｈｏｎｕｃｌｅａｒ  ｎｅｕｔｒｏｐｈｉｌ）、大食細胞（Ｍａｃｒｏｐｈａｇｅ）、歯肉線維芽細胞（Ｆｉｂｒｏｂｌａｓｔ）、骨細胞（Ｂｏｎｅ  ｃｅｌｌ）などのような細胞から分泌されるカルシウム及び亜鉛依存性エンドペプチダーゼ（Ｅｎｄｏｐｅｐｔｉｄａｓｅ）であり、中性ｐＨで作用し、基質として様々な細胞外基質を利用する。このようなタンパク質分解酵素は、胚発生、組織の形成、癌転移、歯周疾患、関節リウマチ、炎症、糖尿病、角膜潰瘍、骨多孔症、胃潰瘍、外傷、皮膚老化及びシワ、火傷及び傷の治療のような病理学的過程と各種疾患に関与するものと知られている。
【００２７】
また、シワの予防及び治療のための研究の発展に伴って皮膚におけるコラーゲンの重要な機能が明らかにされつつあり、これらの研究から、皮膚内コラーゲンの合成促進によりコラーゲンの代謝が活発になると、真皮マトリクスの成分が増加し、シワの改善、弾力増進、皮膚強化などの効果があるものとされている。
【００２８】
皮膚老化過程について簡略に説明すると、紫外線への露出は、真皮内タンパク質（コラーゲン）の生成を減少させ、タンパク質分解酵素（ｃｏｌｌａｇｅｎａｓｅ）であるＭＭＰを増加させる。皮膚のシワは、真皮内コラーゲン欠乏と直接関連しており、皮膚老化によるコラーゲン欠乏やタンパク質分解酵素の増加によって発生する。したがって、生体でコラーゲン合成を阻害するＭＭＰの濃度を低減させる方案が要求されている。
【発明の概要】
【発明が解決しようとする課題】
【００２９】
本発明の一側面は、学習効率及び業務能率が向上するように頭部に快適な気流を吐出させ、頭脳活動を向上させる頭脳活動向上機器を開示する。
【００３０】
また、皮膚（主に顔）の老化を防止できる皮膚老化防止機器を開示する。
【課題を解決するための手段】
【００３１】
本発明の思想による頭脳活動向上機器は、脳波及び心電図の変化をもたらす気流発生装置を含むことを特徴とする。
【００３２】
前記気流発生装置は、水素イオンを生成させるセラミックプレート部と、前記セラミックプレート部から離間して設けられ、電子及びアニオンを生成する電子発生部と、を含む。
【００３３】
前記セラミックプレート部は放電電極及び誘導電極を含み、前記放電電極と誘導電極との間にプラス成分の高電圧が印加されると水素イオンが生成される。
【００３４】
前記電子発生部は針状電極を含み、前記針状電極にマイナス成分の高電圧が印加されると電子が空気中に放出され、前記電子は、空気中の酸素分子と結合してスーパーオキシドアニオン（Ｏ２−）を生成し、前記水素イオン（Ｈ＋）と結合して水素原子（Ｈ）を生成する。
【００３５】
また、本発明の思想による頭脳活動向上機器は、ケースと、前記ケースの一側に形成された空気吸入口と、水素イオンを生成させるセラミックプレート部と、前記セラミックプレート部から離間して設けられ、電子及びスーパーオキシドアニオンを生成する電子発生部とを含む気流発生装置と、前記気流発生装置より発生したスーパーオキシドアニオンと水素原子を頭部に吐出させる吐出口と、を含むことを特徴とする。
【００３６】
前記頭脳活動向上機器は、送風装置をさらに含むことができる。
【００３７】
前記頭脳活動向上機器は、頭部を認識する認識センサーをさらに含むことができる。
【００３８】
前記頭脳活動向上機器は、動作を制御する制御部をさらに含むことができる。
【００３９】
前記頭脳活動向上機器は、前記空気吸入口にホコリフィルターをさらに含むことができる。
【００４０】
前記認識センサーは頭部前面を認識することができる。
【００４１】
前記認識センサーは頭部右側面を認識することができる。
【００４２】
前記頭脳活動向上機器は、前記認識センサーの認識部位にしたがって吐出口の方向を回転させる回転モーターをさらに含むことができる。
【００４３】
また、本発明の思想に基づく皮膚老化防止機器は、ケースと、前記ケースの一側に形成された空気吸入口と、水素原子を発生させる水素発生装置と、前記水素発生装置より発生した水素原子を皮膚に吐出させる吐出口と、を含み、前記水素発生装置は、水素イオンを生成させるセラミックプレート部と、前記セラミックプレート部から離間して設けられて電子を生成させる電子発生部と、を含むことを特徴とする。
【００４４】
前記セラミックプレート部は、放電電極及び誘導電極を含み、前記放電電極と誘導電極との間にプラス成分の高電圧が印加されると水素イオンが生成されることを特徴とする。
【００４５】
前記電子発生部は針状電極であり、該針状電極にマイナス成分の高電圧が印加されると電子が空気中に放出され、該電子は前記水素イオンと結合して水素原子を生成することを特徴とする。
【００４６】
前記水素原子は皮膚内ＭＭＰ（ｍａｔｒｉｘ  ｍｅｔａｌｌｏｐｒｏｔｅｉｎａｓｅ）の濃度を低減させることを特徴とする。
【００４７】
前記皮膚老化防止機器は、前記セラミックプレート部で生成された水素イオンを、前記針状電極から放出された電子側へ送るための送風装置をさらに含むことができる。
【００４８】
前記皮膚老化防止機器は、前記水素発生装置及び送風装置を制御する制御部をさらに含むことができる。
【００４９】
前記皮膚老化防止機器は、顔に着用するためのヘアーバンドをさらに含むことができる。
【発明の効果】
【００５０】
以上で説明した本発明の一実施例による頭脳活動向上機器は、気流発生装置で生成された気流を頭部に吐出させることによって、頭脳活動を向上させ、学習能率及び業務効率を改善させることができる。
【００５１】
また、以上で説明した本発明の一実施例による皮膚老化防止機器によると、水素発生装置で生成された水素原子が皮膚に吐出され、該吐出された水素原子により皮膚内ＭＭＰ（ｍａｔｒｉｘ  ｍｅｔａｌｌｏｐｒｏｔｅｉｎａｓｅ）の濃度が低減することによって、皮膚の老化を防止することができる。
【図面の簡単な説明】
【００５２】
【図１】気流発生装置を含む頭脳活動向上機器を示す概念図である。
【図２Ａ】気流発生装置の概略図である。
【図２Ｂ】気流発生装置の気流発生原理を示す詳細図である。
【図３Ａ】本発明に係る気流発生装置の一実施例である。
【図３Ｂ】本発明に係る気流発生装置の他の実施例である。
【図３Ｃ】本発明に係る気流発生装置のさらに他の実施例である。
【図３Ｄ】本発明に係る気流発生装置のさらに他の実施例である。
【図３Ｅ】本発明に係る気流発生装置のさらに他の実施例である。
【図３Ｆ】本発明に係る気流発生装置のさらに他の実施例である。
【図４】本発明による頭脳活動向上機器の使用状態図である。
【図５】本発明のさらに他の実施例による水素発生装置を示す斜視図である。
【図６】本発明のさらに他の実施例による皮膚老化防止機器の概念図である。
【図７Ａ】本発明のさらに他の実施例による皮膚老化防止機器の斜視図である。
【図７Ｂ】本発明のさらに他の実施例による皮膚老化防止機器の斜視図である。
【図８Ａ】本発明のさらに他の実施例による皮膚老化防止機器を使用した場合とそうでない場合におけるＭＭＰ（ｍａｔｒｉｘ  ｍｅｔａｌｌｏｐｒｏｔｅｉｎａｓｅ）の相対的な濃度を示す実験データである。
【図８Ｂ】本発明のさらに他の実施例による皮膚老化防止機器を使用した場合とそうでない場合におけるｍＲＮＡの相対的な濃度を示す実験データである。
【発明を実施するための最良の形態】
【００５３】
以下、本発明に係る一実施形態を、添付の図面を参照しつつ詳細に説明する。
【００５４】
図１は、気流発生装置を含む頭脳活動向上機器を示す概念図であり、図２Ａは、気流発生装置の概略図であり、図２Ｂは、気流発生装置の気流発生原理を示す詳細図であり、図３Ａは、本発明に係る気流発生装置の他の実施例であり、図３Ｂは、本発明に係る気流発生装置のさらに他の実施例であり、図３Ｃは、本発明に係る気流発生装置のさらに他の実施例であり、図３Ｄは、本発明に係る気流発生装置のさらに他の実施例であり、図３Ｅは、本発明に係る気流発生装置のさらに他の実施例であり、図３Ｆは、本発明に係る気流発生装置のさらに他の実施例であり、図４は、本発明に係る頭脳活動向上機器の使用状態図である。
【００５５】
図１乃至図３Ａを参照すると、本発明の一実施形態による頭脳活動向上機器は、ケース２０と、ケース２０の下部に形成されて空気の吸入通路となる空気吸入口２１と、空気吸入口の内側に設けられてホコリをろ過するホコリフィルター２３と、頭脳活動を向上させる気流発生装置１００と、気流発生装置１００の一側に設けられた送風装置２００と、頭脳活動向上機器の動作を制御する制御部４００と、気流発生装置１００より発生した気流を頭部に吐出させる吐出口２６と、吐出口２６の内側に設けられて頭部を認識する認識センサー３００と、認識センサー３００と電気的に連結され、認識センサー３００の認識部位にしたがって上部ケース２８を回転させる回転モーター５００と、を含む。
【００５６】
ケース２０は、上部ケース２８と下部ケース２９とで構成される。上部ケース２８には、気流の吐出のための吐出口２６が形成されており、その内側に認識センサー３００が取り付けられている。下部ケース２９には下部に空気吸入口２１が形成されており、その内側にホコリフィルター２３、送風装置２００及び気流発生装置１００が設置されており、下部ケース２９の外側面には制御部４００が設けられている。そして、上部ケース２８は、下部ケース２９に対して回転自在に結合されており、その結合部には回転モーター５００が設けられ、認識センサー３００の認識部位（頭部の前面または右側面）に従って上部ケース２８を回転させることで吐出口２６の方向を変更させることが可能である。
【００５７】
制御部４００は、頭脳活動向上機器の作動状態を表示するディスプレイ部４１０と、気流発生装置１００及び送風装置２００の作動及び送風速度を調節する操作部４２０と、頭脳活動向上機器に電源を供給する電源供給部４３０と、を含む。
【００５８】
気流発生装置１００は、図１、図２Ａ及び図２Ｂに示すように、ボディー１１０の上面に設けられたセラミックプレート部１１１と、セラミックプレート部１１１から所定距離離間して設けられる針状電極１１２と、を含む。
【００５９】
ボディー１１０の上面にはセラミックプレート部１１１を設置するために陥没した空間が設けられ、この空間にセラミックプレート部１１１を嵌設する。セラミックプレート部１１１は水素イオンを発生させるための部分で、セラミックプレート部１１１の内部上部には放電電極１１４が設けられ、内部中央には誘導電極１１５が設けられる。また、放電電極１１４と誘導電極１１５以外の部分はセラミックで保護層を形成する。
【００６０】
放電電極１１４と誘導電極１１５との間には、プラス成分の高電圧が印加されるが、このように放電電極１１４と誘導電極１１５との間にプラス成分の高電圧が印加されると、セラミックプレート１１１ではプラズマ放電により空気中の水分（Ｈ２Ｏ）が電離されて水素イオン（Ｈ＋）が発生する。
【００６１】
一方、針状電極１１２と接地電極１１７との間には、マイナス成分の高電圧が印加される。針状電極１１２にマイナス成分の高電圧が印加されると、プラズマ放電によって針状電極１１２の周囲にはカチオンが集積し、針状電極１１２から多量の電子が空気中に放出される。空気中に放出された多量の電子は非常に不安定なことから酸素分子（Ｏ２）に捕らえられ、スーパーオキシドアニオン（Ｏ２−）を形成する。したがって、針状電極１１２にマイナス成分の高電圧が印加されると電子（ｅ）及びスーパーオキシドアニオン（Ｏ２−）が発生する。
【００６２】
また、針状電極１１２から電子が放出されると、これら電子は、セラミックプレート部１１１から発生して針状電極１１２の周囲を通る水素イオンと結合し、水素原子（または活性水素）を生成する。この時、気流発生装置１００の一側に設けられた送風装置２００は、セラミックプレート部１１１より発生した水素イオンが針状電極１１２より発生した電子とよく結合するように、強制に水素イオンを針状電極１１２の方に送る。この送風装置２００は、送風ファン２２０と、これを回転させるモーター２１０とを含む。
【００６３】
針状電極１１２は、セラミックプレート部１１１から所定距離離間して設けられるが、針状電極１１２とセラミックプレート部１１１との離隔距離によって、セラミックプレート部１１１より発生した水素イオンが水素原子へと変換する数が変わるので、セラミックプレート部１１１の大きさ、針状電極の高さなどに基づいて両者の離隔距離を調節することが好ましい。
【００６４】
このようにセラミックプレート部１１１より発生した水素イオンが針状電極１１２より放出された電子と結合して水素原子が生成されることによって、気流発生装置１００から最終的に排出される物質は水素原子（Ｈ）とスーパーオキシドアニオン（Ｏ２−）となる。
【００６５】
そして、上記水素原子とスーパーオキシドアニオンが頭部８００へ排出可能なように吐出口２６が設けられる。この吐出口２６は、図３Ａには複数の穴が形成された円形面のものが示されているが、頭部への気流排出を容易にする形状のいずれにしても良い。また、吐出口２６は、必要によって他の形状に取り替えて使用しても良い。
【００６６】
以下、本発明に係る好ましい第１実施例によって、頭脳活動向上機器の動作過程及び頭脳活動向上方法について説明する。
【００６７】
使用者が制御部４００に設けられた操作部４２０を操作して頭脳活動向上機器を作動させると、空気吸入口２１から吸い込まれた空気が気流発生装置１００に送られる。セラミックプレート１１１の放電電極１１４と誘導電極１１５にプラス成分の高電圧を印加することで空気から水素イオンを発生させ、針状電極１１２にはマイナス成分の高電圧を印加することで電子及びスーパーオキシドアニオンを発生させる。そして、送風装置２００の送風によって水素イオンが針状電極１１２または針状電極１１２周囲を通るようにする。針状電極１１２に近づいた水素イオンは針状電極１１２周囲に存在する電子と結合して水素原子となり、針状電極１１２より生成されたスーパーオキシドアニオンと共に吐出口２６から外部に排出される。
【００６８】
排出された水素原子とスーパーオキシドアニオンは、人体の頭部８００に吐出される。この時、認識センサー３００は頭部８００の前面または右側面を認識し、吐出口２６の方向が頭部８００の前面または右側面に向けるように回転モーター５００を回転させる。認識センサー３００が頭部８００の前面または右側面を認識するようにしたのは、気流が頭部８００の前面または右側面に向けるようにした場合に頭脳活動向上効果が最も高いからである。これについては後で詳述する。
【００６９】
そして、気流発生装置１００より発生した気流は、頭部と５０ｃｍ〜１５０ｃｍ隔てて０．３ｍ／ｓ〜０．５ｍ／ｓの速度で吐出させることが好ましい。同様に、この場合も頭脳活動向上効果が目立つからである。これについても後述する。
【００７０】
以下では、頭脳活動向上機器を用いた実験及び実験結果について説明する。
【００７１】
実験は、高校生８人（男４人、女４人）、中学生８人（男４人、女４人）、小学生６人（男３人、女３人）に対して学習中の気流露出による脳波を測定し、その測定結果を分析して比較した。気流への露出を刺激と見なし、気流に露出されない状態での学習時の脳波特性と気流露出時の脳波特性に対する比較分析を実施した。分析に使われた脳波特性は、相対パワー、ＳＥＦ−９０、集中力指標、安定指標である。
【００７２】
相対パワーは、全体領域に対する該当領域の振動成分が出現した相対的な比率を意味する。したがって、相対パワー分析のために相対シータ、相対アルファ、相対ベータ、相対ガンマパワーという分析変数を使用した。相対パワー値は分子、分母の単位が互いに約分されて単位がないし、０〜１間の値を表す。ＳＥＦ−９０とは、パワースペクトラムグラフにおいて周波数の左側（Ｌｏｗ−ｅｄｇｅ）から特定周波数までの面積が全体周波数領域に対する面積の９０％を占める特定周波数値のことをいい、脳波覚醒を定量化するのに意味がある分析変数である。また測定された脳波を用いて集中力指標と安定指標を算出したが、集中力指標は、シータパワーに対するＳＭＲ（遅いベータパワー）とＭ−Ｂｅｔａ（中間ベータパワー）の割合で算出して、安定指標は、Ｈｉｇｈ−Ｂｅｔａ（高いベータパワー）に対するアルファパワーの割合で算出した。
【００７３】
学生達を対象に脳波、心電図、学習活動を測定して、それぞれの指標の特性を把握し、それを総合的に分析するために各指標間の相関関係を分析した。
【００７４】
実験に参加した２２人に対して個人当たり１７回の脳波測定をした結果に基づいて合計２５４個の測定データに対する各指標間の相関関係分析を実施して、その結果を下の表１．１に示す。相対シータに対する相対ベータ、相対ガンマ、集中指標、ＳＥＦ９０の相関係数はそれぞれ−０．８８、−０．７８、−０．８１、−０．８４と強い陰の相関関係を表し、安定指標との相関係数は０．５８と陽の相関関係を表した。シータ波は眠気と関連した脳波で、強い頭脳活動及び学習と関連付けて説明されうるベータ波、ガンマ波、集中指標、ＳＥＦ９０指標とは陰の相関関係を見せたことが確認できる。
【００７５】
アルファ波は安定指標と陽の相関関係（ｒ＝０．５９）を示して、ベータ波はガンマ波（ｒ＝０．６６）、集中指標（ｒ＝０．８１）、ＳＥＦ９０（ｒ＝０．７５）と陽の相関関係を見せ、安定指標（ｒ＝−０．７１）とは陰の相関関係を示した。また、安定指標とＳＥＦ９０は、強い陰の相関関係（ｒ＝−０．８１）を示しており、これは脳波覚醒が高くなるほど安定度が減少するということを示唆している。
【００７６】
【表１】
2010137047.tif 000003
【００７７】
次に、心電図測定は、気流に露出されない場合と気流に露出された場合（０．５ｍ／ｓ）に対して気流露出方向によって個人当たり合計５回の測定を実施して、全体１１０個のデータ資料に基づく各指標間の相関関係分析結果を下の表１．２に示す。平均ＲＲ間隔は副交感神経細胞であるＨＦと陽の相関関係（ｒ＝０．５１）を見せ、平均心拍間隔（ＳＤＮＮ）は、交感神経指標であるＬＦ、副交感神経指標であるＨＦ、そしてＲＳＡと陽の相関関係を見せる。また、副交感神経指標のＨＦはＲＳＡと陽の相関関係（ｒ＝０．７２）を見せたことが確認できる。
【００７８】
【表２】
2010137047.tif 000004
【００７９】
次に、下の表１．３の学習能力評価結果において各指標間の相関関係評価結果を見ると、集中力と作業負荷度のみが相関係数０．５９の強い陽の相関関係を見せている。これは、集中力が増加する時に脳波覚醒が高くなりつつ脳が活発に活動する状態となるためと判断される。
【００８０】
【表３】
2010137047.tif 000005
【００８１】
次いで、４つの方向変数（前、後、左、右）と風速変数（０．１、０．３、０．５、１．０ｍ／ｓ）でもって学習活動に肯定的な影響を与える気流方向と気流の強度を調べてみた結果、学習者の前方向と右方向から気流を露出させた場合、眠気と関連している“シータ波”は減少したのに対し、学習能力と関連している“ベータ波／ガンマ波”及び“集中指標”は増加した。そして、前方向からの気流露出時には気流強度０．３ｍ／ｓで、右方向からの気流露出時には気流強度０．３ｍ／ｓと０．５ｍ／ｓで集中指標が大きく増加した。これは下の表１．４に示す。
【００８２】
【表４】
2010137047.tif 000006
【００８３】
以上説明してきた如く、頭脳活動向上機器を学習空間に適用することによって、気流発生装置より発生する快適な気流が学生達の頭脳活動と集中力向上に肯定的な影響を与え、心電図測定結果においても身体的・生理的に肯定的影響を与えたことがわかる。
【００８４】
図３Ｂ〜図３Ｆは、様々な室内環境と調和するように頭脳活動向上機器ケースの形状を多様化した実施例である。
【００８５】
図３Ｂはボックス状のケース、図３Ｃは蜂の巣の形状のケース、図３Ｄは‘└’状のケース、図３Ｅは円錐状のケース、図３Ｆはスピーカー状のケースとされている。図３Ｂ〜図３Ｆにはいずれも、図示してはいないが、気流発生装置１００、送風装置２００、制御部４００、ホコリフィルターが備えられている。
【００８６】
以下では、本発明に係るさらに他の実施例を、添付の図面を参照しつつ詳細に説明する。
【００８７】
図５は、本発明のさらに他の実施例による水素発生装置を示す斜視図であり、図６は、本発明のさらに他の実施例による皮膚老化防止機器の概念図であり、図７Ａは、本発明のさらに他の実施例による皮膚老化防止機器の斜視図であり、図７Ｂは、本発明のさらに他の実施例による皮膚老化防止機器の斜視図であり、図８Ａは、本発明のさらに他の実施例による皮膚老化防止機器を使用した場合とそうでない場合におけるＭＭＰ（ｍａｔｒｉｘ  ｍｅｔａｌｌｏｐｒｏｔｅｉｎａｓｅ）の相対的な濃度を示す実験データであり、図８Ｂは、本発明のさらに他の実施例による皮膚老化防止機器を使用した場合とそうでない場合におけるｍＲＮＡの相対的な濃度を示す実験データである。
【００８８】
図５〜図７Ａを参照すると、本発明の一実施例による皮膚老化防止機器は、ケース１０ａと、ケース１０ａの下部に形成されて空気の吸入通路とされる空気吸入口１１ａと、水素を発生させる水素発生装置１００ａと、水素発生装置１００ａの一側に設けられた送風装置２００ａと、水素発生装置１００ａ及び送風装置２００ａを制御する制御部３００ａと、水素発生装置１００ａより発生した水素原子を皮膚に吐出させる吐出口１５ａと、を含む。
【００８９】
制御部３００ａは、皮膚老化防止機器の作動状態を知らせるディスプレイ部３１０ａと、水素発生装置１００ａ及び送風装置２００ａの作動及び送風速度を調節する操作部３２０ａと、水素発生装置１００ａ及び送風装置２００ａに電源を供給する電源供給部３３０ａと、を含む。
【００９０】
水素発生装置１００ａは、図５及び図６に示すように、ボディー１１０ａの上面に設けられたセラミックプレート部１１１ａと、セラミックプレート部１１１ａから所定距離離間して設けられる針状電極１１２ａを含む。
【００９１】
ボディー１１０ａの上面にはセラミックプレート部１１１ａを設置するための凹入空間が設けられ、この空間にセラミックプレート部１１１ａを挿設する。セラミックプレート部１１１ａは、水素イオンを発生させるための部分で、セラミックプレート部１１１内の上部には放電電極１１４ａが設けられ、内部中央には誘導電極１１５ａが設けられる。また、放電電極１１４ａ及び誘導電極１１５ａ以外の部分は、セラミックで保護層を形成する。
【００９２】
放電電極１１４ａと誘導電極１１５ａとの間にはプラス成分の高電圧が印加される。このように放電電極１１４ａと誘導電極１１５ａとの間にプラス成分の高電圧が印加されると、セラミックプレート１１１ａではプラズマ放電により空気中の水分（Ｈ２Ｏ）が電離し、水素イオン（Ｈ＋）が発生する。
【００９３】
一方、針状電極１１２ａと接地電極１１７ａとの間には、マイナス成分の高電圧が印加される。針状電極１１２ａにマイナス成分の高電圧が印加されると、プラズマ放電により針状電極１１２ａの周囲にはカチオンが集積し、針状電極１１２ａから多量の電子が空気中に放出される。空気中に放出された多量の電子は、非常に不安定なため酸素分子（Ｏ２）に捕捉されてスーパーオキシドアニオン（Ｏ２−）を形成する。したがって、針状電極１１２ａにマイナス成分の高電圧が印加されると、電子及びスーパーオキシドアニオンが発生する。
【００９４】
また、針状電極１１２ａから電子が放出されると、これらの電子は、セラミックプレート部１１１ａより発生して針状電極１１２ａの周囲を通る水素イオンと結合し、水素原子（または活性水素）を生成することとなる。この時、水素発生装置１００ａの一側に設けられた送風装置２００ａは、セラミックプレート部１１１ａより発生した水素イオンが、針状電極１１２ａより発生した電子とよく結合するように、強制に水素イオンを針状電極１１２ａの方に送る。
【００９５】
針状電極１１２ａは、セラミックプレート部１１１ａから所定距離離間して設けられ、この針状電極１１２ａとセラミックプレート部１１１ａとの離間距離によって、セラミックプレート部１１１ａより発生した水素イオンが水素原子に変換する数が異なってくるので、セラミックプレート部１１１ａの大きさ、針状電極の高さなどによって両者の離間距離を調節することが好ましい。
【００９６】
このようにセラミックプレート部１１１ａより発生した水素イオンが針状電極１１２ａより放出された電子と結合して水素原子を生成することによって、水素発生装置１００ａから最終的に排出される物質は、水素原子（Ｈ）及びスーパーオキシドアニオン（Ｏ２−）となる。
【００９７】
そして、水素原子及びスーパーオキシドアニオンが皮膚に排出されるように吐出口１５ａが設けられる。吐出口１５ａは、図７Ａでは複数の穴が形成された円形面としたが、皮膚への水素原子の排出を容易にする形状のいずれにしても良い。また、吐出口１５ａは、必要に応じて他の形状のものに交換して使用することもできる。
【００９８】
以下、本発明にさらに他の実施例によって、皮膚老化防止機器の動作過程について説明する。
【００９９】
使用者が制御部３００ａに設けられた操作部３２０ａを操作して皮膚老化防止機器を作動させると、空気吸入口１１ａを通して吸入された空気が、水素発生装置１００ａに送られる。セラミックプレート１１１ａの放電電極１１４ａ及び誘導電極１１５ａにプラス成分の高電圧を印加して空気より水素イオンを発生させ、針状電極１１２ａにはマイナス成分の高電圧を印加して電子及びスーパーオキシドアニオンを発生させる。そして、送風装置２００ａの送風により水素イオンが針状電極１１２ａまたは針状電極１１２ａの周囲を通るようにする。水素イオンが針状電極１１２ａに近づくと、水素イオンは針状電極１１２ａの周囲に存在する電子と結合して水素原子となり、針状電極１１２ａにより生成されたスーパーオキシドアニオンと共に吐出口１５ａから外部に排出される。
【０１００】
外部に排出された水素原子は、人体の皮膚と接触する。この水素原子は、皮膚内タンパク質分解酵素であるＭＭＰを発生させる遺伝子であるｍＲＮＡの濃度を低減させ、該ｍＲＮＡの濃度が低減すると、それにつれて皮膚内ＭＭＰの濃度も低減する。したがって、皮膚内タンパク質であるコラーゲンの生産を阻害するＭＭＰ濃度が低減するので、コラーゲン欠乏現象は防止され、皮膚老化現象の一つであるシワ生成が抑制される。図８Ａ及び図８Ｂは、皮膚を紫外線に露出する際に、皮膚へ水素原子を排出させる場合とそうでない場合におけるＭＭＰ及びｍＲＮＡの相対的な濃度を示す実験データである。横軸のＣ（対照群）は、皮膚老化防止機器を使用しない場合であり、Ｈ（実験群）は、皮膚老化防止機器を使用した場合である。実験結果によると、皮膚に水素原子を排出させた場合、ＭＭＰ及びｍＲＮＡの濃度低減効果が著しい。
【０１０１】
図７Ｂは、本発明のさらに他の実施例による皮膚老化防止機器の斜視図であり、本発明の一実施例と異なる部分のみについて説明し、同一の部分については説明を省略する。
【０１０２】
図７Ｂの実施例による皮膚老化防止機器は、ケース２０ａと、ケース２０ａの後面に形成された空気吸入口２１ａと、水素を発生させる水素発生装置１００ａと、ケースの一側に形成された制御部３００ａと、水素発生装置１００ａより発生した水素原子を皮膚に吐出させる吐出口２５ａと、ケース２０ａに付着されたヘアーバンド２８ａと、を含む。
【０１０３】
本実施例による皮膚老化防止機器は、人の頭８００ａに着用可能なようにヘアーバンド２８ａを備えている。ヘアーバンド２８ａは、頭８００ａに着用可能な長さとし、頭８００ａへの着脱を容易にするために弾性材質で形成することが好ましい。そして、吐出口２５ａは、顔に集中して水素原子が放出されるように顔に向かって形成する。
【０１０４】
以上では本発明を特定の好適な実施例に上げて図示及び説明してきた。しかし、本発明は上記の実施例に限定されるものではなく、本発明の属する技術分野における通常の知識を持つ者にとっては、添付の特許請求の範囲に記載された本発明の技術的思想の要旨を逸脱しない限度内で様々に変更して実施可能である。
【符号の説明】
【０１０５】
２０，３０，４０，５０，６０，７０：ケース
２１，３１，４１，５１，６１，７１：空気吸入口
２６，３６，４６，５６，６６，７６：吐出口
１００：気流発生装置
１１０：ボディー
１１１：セラミックプレート部
１１２：針状電極
１１４：放電電極
１１５：誘導電極
２００：送風装置
２１０：送風ファン
２２０：モーター
３００：認識センサー
４００：制御部
４１０：ディスプレイ部
４２０：操作部
４３０：電源供給部
５００：回転モーター
８００：頭部
１０ａ，２０ａ：ケース
１１ａ，２１ａ：空気吸入口
１５ａ，２５ａ：吐出口
１００ａ：水素発生装置
１１０ａ：ボディー
１１１ａ：セラミックプレート部
１１２ａ：針状電極
１１４ａ：放電電極
１１５ａ：誘導電極
２００ａ：送風装置
３００ａ：制御部
３１０ａ：ディスプレイ部
３２０ａ：操作部
３３０ａ：電源供給部
８００ａ：頭
【図１】
2010137047.tif 000007
【図２Ａ】
2010137047.tif 000008
【図２Ｂ】
2010137047.tif 000009
【図３Ａ】
2010137047.tif 000010
【図３Ｂ】
2010137047.tif 000011
【図３Ｃ】
2010137047.tif 000012
【図３Ｄ】
2010137047.tif 000013
【図３Ｅ】
2010137047.tif 000014
【図３Ｆ】
2010137047.tif 000015
【図４】
2010137047.tif 000016
【図５】
2010137047.tif 000017
【図６】
2010137047.tif 000018
【図７Ａ】
2010137047.tif 000019
【図７Ｂ】
2010137047.tif 000020
【図８Ａ】
2010137047.tif 000021
【図８Ｂ】
2010137047.tif 000022